(57)【特許請求の範囲】
【請求項１】
回転軸線の周りに形成された内壁面を有し、この内壁面は外周側内壁面とこの外周側内壁面に対向する内周側内壁面とを含み、かつ、液体を収容して前記回転軸線を中心に回転することができるように配置された環状の容器と、
前記容器の周方向に沿って互いに間隔をあけて配置され、前記容器の外周側内壁面の上に固着された複数の緩衝部材とを備え、
各前記緩衝部材は、弾性体によって形成される収容部材と、前記収容部材に収容される流体とを含み、前記容器が前記回転軸線を中心に回転させられるときに遠心力が付与された前記容器内の液体によって変形させられるように構成され、
前記収容部材に収容される流体の比重は、前記容器に収容される液体の比重よりも小さい、液体バランサ。
【請求項２】
回転軸線の周りに形成された内壁面を有し、この内壁面は外周側内壁面とこの外周側内壁面に対向する内周側内壁面とを含み、かつ、液体を収容して前記回転軸線を中心に回転することができるように配置された環状の容器と、
前記容器の外周側内壁面の上に固着された緩衝部材とを備え、
前記緩衝部材は、弾性体によって袋状に形成された複数の収容部材に流体が収容されることによって構成され、かつ、前記容器が前記回転軸線を中心に回転させられるときに遠心力が付与された前記容器内の液体によって変形させられるように構成され、
前記収容部材に収容される流体の比重は、前記容器に収容される液体の比重よりも小さい、液体バランサ。
【請求項３】
前記液体は水であり、
前記流体は空気であり、
前記弾性体はポリエチレン膜である、請求項１または請求項２に記載の液体バランサ。
【請求項４】
洗濯物を収容して回転軸線を中心に回転することができるように配置された洗濯槽と、
回転軸線を中心に前記洗濯槽を回転させる駆動部と、
請求項１から請求項３までのいずれか１項に記載の液体バランサとを備え、
前記液体バランサは、前記回転軸線を中心にして前記洗濯槽とともに回転することができるように構成されている、洗濯機。
【発明の詳細な説明】
【技術分野】
【０００１】
この発明は、液体バランサとそれを備えた洗濯機に関する。
【背景技術】
【０００２】
従来、洗濯機では、洗濯兼脱水槽などの回転槽を高速で回転させて、回転槽に収容された衣類などの洗濯物を脱水している。洗濯物は、回転槽の内部において偏心して分布することが多い。回転槽に収容される洗濯物に偏心荷重がある場合には、偏心荷重がない場合と比較して、回転槽を回転させたときに回転槽の振動の振幅が大きくなる。特に、回転槽が、回転槽と回転槽の駆動部とを合わせた系の一次共振振動数で回転させられるときには、回転槽の振動の振幅が極めて大きくなり、騒音が発生する。また、一次共振振動数よりも振動数が高い二次共振振動数で回転させられるときには、一次共振振動数で回転槽が回転させられるときよりも、さらに振動の振幅が大きくなり、騒音も大きくなる。
【０００３】
脱水時に生じるこのような騒音を低減するためには、洗濯物の偏心によって生じる、洗濯物が収容された回転槽全体の偏心を解消することが考えられる。洗濯物の偏心の状態は、脱水開始時、すなわち、洗濯終了時の洗濯物の状態によって異なる。そのため、脱水開始時における洗濯物の偏心の状態に応じて、回転される全体の偏心を解消するために、従来、回転槽の上部に、液体バランサが取り付けられている。
【０００４】
液体バランサは、例えば、環状の管によって構成され、管の内部には、管の容積の半分程度の量の水や塩水などの水溶液が収容される。このように構成された液体バランサを偏心荷重を有する容器に取り付けて容器とともに高速で回転させ、回転数を次第に上昇させると、管の内部の液体は次のような挙動を示す。すなわち、回転数が一次共振振動数に近付いて一次共振振動数よりも少し高い振動数で回転させられるとき、管の内部の液体が、回転中心をはさんで偏心荷重と反対側に移動して、容器の偏心荷重と管の内部の液体の平均的な位置が最も離れる。このように、回転数が一次共振振動数に近付いて一次共振振動数よりも少し高い振動数で回転させられるときに、管の内部の液体が偏心荷重を解消する方向に移動するので、回転数が一次共振振動数に達したときには、液体バランサを備えない場合と比較して振動の振幅が小さくなる。
【０００５】
このような液体バランサでは、回転数が一次共振振動数を超えると、二次共振振動数に近づくまで、管の内部の液体は偏心荷重を解消する位置からあまり移動しない。しかし、回転数がさらに上昇されて二次共振振動数に近づくと、管の内部の液体が再び移動して、すなわち、偏心荷重を解消する位置にあった管の内部の液体が容器の偏心荷重に近づいて、偏心を大きくしてしまう。管の内部の液体が容器の偏心荷重の位置に近づくと、容器と液体バランサとを合わせた系全体では、液体バランサを備えない場合よりも、かえって偏心荷重が大きくなる。偏心荷重が大きくなると、回転される系全体の振動の振幅が大きくなり、騒音も大きくなる。
【０００６】
そこで、例えば、特開２００７−３２５８１１公報（特許文献１）には、洗濯兼脱水槽に設けられた流体バランサの貯液室内の液体が移動するための連通路に開閉手段を設けた洗濯機が記載されている。連通路の開閉手段は、洗濯兼脱水槽の回転数が所定の回転数よりも大きくなると、遠心力によって連通路を閉じ、洗濯兼脱水槽の回転数が所定の回転数よりも小さいときには、連通路を開く。
【０００７】
この洗濯機の洗濯兼脱水槽は、外槽内に回転軸が水平または傾斜した状態で回転自在に配置されている。洗濯兼脱水槽は、回転軸が水平または傾斜した状態で回転される。洗濯兼脱水槽内に収容されている衣類に偏心荷重があるとき、偏心荷重を下から上方向へ持ち上げるためには、偏心荷重を上から下方向へ移動させるときよりも、比較的大きな力が必要である。そのため、洗濯兼脱水槽を回転させる駆動手段のトルクが一定に制御されていると、洗濯兼脱水槽の回転が速くなったり遅くなったりする。すなわち、偏心荷重が下から上方向に移動されるときには洗濯兼脱水槽の回転が遅く、偏心荷重が上から下方向に移動されるときには洗濯兼脱水槽の回転が速くなる。したがって、偏心荷重が下から上方向に移動するときには洗濯兼脱水槽の回転が遅くなって、開閉手段によって連通路が開かれ、流体は自重で下側へ移動する。衣類は、洗濯兼脱水槽にはりついており、衣類どうしの抵抗で落下動作が遅れるので、偏心荷重の移動はない。一方、偏心荷重が上から下方向に移動するときには、洗濯兼脱水槽の回転が速くなるので、遠心力を付与された開閉手段によって連通路が閉じられ、流体が移動しない。このようにすることにより、偏心荷重の反対側に液体が分布するようになり、徐々に偏心荷重が補正されて洗濯兼脱水槽の回転は安定する。その後、回転数を上昇させて、遠心脱水を行うことになる。一次共振振動数と二次共振振動数との間の回転数の定常回転では、開閉手段を閉めることにより、流体の移動がなくなり、安定した脱水振動を得ることができる。
【先行技術文献】
【特許文献】
【０００８】
【特許文献１】特開２００７−３２５８１１公報
【発明の概要】
【発明が解決しようとする課題】
【０００９】
しかしながら、特開２００７−３２５８１１公報（特許文献１）に記載の洗濯機では、流体バランサ内の流体の移動がスロッシング現象に依存するものであることを前提にしていないために、遠心力によって連通路を開閉する開閉手段を採っているが、この方法で流体バランサ内の流体の移動を制御することは技術的に難しい。例えば、一次共振振動数と二次共振振動数との間の回転数で洗濯兼脱水槽が回転しているときに、連通路内の液体を移動させない場合に、開閉手段を完全に閉じるために必要な遠心力を加えることが難しい。また、開閉手段が完全に閉じられていない状態では、連通路内の液体の移動をある程度、制限することはできるが、スロッシングを防止することはできない。
【００１０】
洗濯兼脱水槽の回転数が一次共振振動数や二次共振振動数に近づいたときに液体バランサ内の液体が移動するのは、液体バランサの容器内の液体が、遠心力で容器の内壁面に押し付けられた状態で移動するスロッシング現象によるものである。
【００１１】
そのため、スロッシングを防止することができなければ、偏心荷重を有する容器の回転数が一次共振振動数に近づいたときに液体バランサの内部の液体が受動的に偏心を解消する位置に移動しても、偏心荷重を有する容器の回転数をさらに上昇させて二次共振振動数に近づいたときには、液体バランサの内部の液体が、かえって偏心を増大させる位置に移動することを防ぐことができない。
【００１２】
このような液体バランサが洗濯機に備えられると、容器の回転数が二次共振振動数に近づくと容器の振動の振幅が極めて大きくなり、洗濯機の安全装置が働いて、容器を回転させ続けることができなくなってしまうことがある。
【００１３】
また、特開２００７−３２５８１１公報（特許文献１）に記載の洗濯機では、連通路の開閉手段を遠心力に応じて開閉させる以外の方法で制御するためには、洗濯機全体の構成が複雑になる。
【００１４】
そこで、この発明の目的は、簡単な構成で、液体のスロッシングを防止することが可能な液体バランサと、それを備えた洗濯機を提供することである。
【課題を解決するための手段】
【００１５】
この発明の一つの局面に従った液体バランサは、環状の容器と、複数の緩衝部材とを備える。環状の容器は、回転軸線の周りに形成された内壁面を有し、この内壁面は外周側内壁面とこの外周側内壁面に対向する内周側内壁面とを含む。環状の容器は、液体を収容して回転軸線を中心に回転することができるように配置される。複数の緩衝部材は、容器の周方向に沿って互いに間隔をあけて配置され、容器の外周側内壁面の上に固着される。
【００１６】
各緩衝部材は、弾性体によって形成される収容部材と、収容部材に収容される流体とを含む。各緩衝部材は、容器が回転軸線を中心に回転させられるときに遠心力が付与された容器内の液体によって変形させられるように構成される。収容部材に収容される流体の比重は、容器に収容される液体の比重よりも小さい。
【００１７】
液体を収容した環状の容器が回転軸線を中心に回転すると、容器内の液体には遠心力が付与される。遠心力を付与された液体は、回転している容器の外周側内壁面に押し付けられながら移動しようとする。このとき、遠心力が付与された液体は、容器の外周側内壁面の上に固着された緩衝部材に力を加える。緩衝部材は、弾性体によって形成される収容部材と、収容部材に収容される流体とによって構成されており、遠心力を付与された液体に力を加えられて変形する。
【００１８】
容器の外周側内壁面の上に固着された緩衝部材が変形することによって、容器内の液体は、容器の外周側内壁面の上に緩衝部材が固着されていない場合と比較して、回転している容器の外周側内壁面に遠心力によって十分に押し付けられなくなる。回転している容器の外周側内壁面に、遠心力によって十分に押し付けられない液体は、回転している容器の外周側内壁面に押し付けられながら移動するスロッシングを起こすことができなくなる。
【００１９】
このようにすることにより、簡単な構成で、液体のスロッシングを防止することが可能な液体バランサを提供することができる。
【００２０】
スロッシングを防止することによって、例えば、偏心荷重と最も離れる位置にあって偏心荷重を解消している液体を、液体バランサを回転させたときに移動させにくくすることができる。容器の回転数が回転される系の二次共振振動数に近付く前に、偏心荷重を解消する位置にあれば、容器の回転数が二次共振振動数に近付いても、偏心荷重が増大されないようにすることができる。回転される系の偏心荷重が増大されないようにすることによって、この系の回転数が二次共振振動数に達したときに振動の振幅が増大することを抑え、騒音を低減させることができる。容器の周方向に沿って互いに間隔をあけて複数の緩衝部材が配置されることによって、スロッシングを効果的に防ぐことができる。
【００２１】
この発明のもう一つの局面に従った液体バランサは、環状の容器と、緩衝部材とを備える。環状の容器は、回転軸線の周りに形成された内壁面を有し、この内壁面は外周側内壁面とこの外周側内壁面に対向する内周側内壁面とを含む。環状の容器は、液体を収容して回転軸線を中心に回転することができるように配置される。緩衝部材は、容器の外周側内壁面の上に固着される。緩衝部材は、弾性体によって袋状に形成された複数の収容部材に流体が収容されることによって構成される。緩衝部材は、容器が回転軸線を中心に回転させられるときに遠心力が付与された容器内の液体によって変形させられるように構成される。収容部材に収容される流体の比重は、容器に収容される液体の比重よりも小さい。
【００２２】
このようにすることにより、簡単な構成で、液体のスロッシングを防止することが可能な液体バランサを提供することができる。
【００２３】
この発明に従った液体バランサにおいては、液体は水であり、流体は空気であり、弾性体はポリエチレン膜であることが好ましい。
【００２４】
ポリエチレン膜によって形成される収容部材に空気が収容されて緩衝部材が構成される。空気は水よりも比重が小さい。また、ポリエチレン膜は、変形しやすい。そのため、この緩衝部材は、遠心力を付与された水によって変形されやすい。このように、遠心力を付与された水によって変形されやすい緩衝部材を容器の外周側内壁面上に固着することによって、容器内の液体は、回転している容器の外周側内壁面に遠心力によって十分に押し付けられなくなる。このようにすることにより、スロッシングを効果的に防ぐことができる。
【００２５】
この発明に従った洗濯機は、洗濯槽と、駆動部と、上記のいずれかの液体バランサとを備える。洗濯槽は、洗濯物を収容して回転軸線を中心に回転することができるように配置されるものである。駆動部は、回転軸線を中心に洗濯槽を回転させるためのものである。液体バランサは、回転軸線を中心にして洗濯槽とともに回転することができるように構成されている。
【００２６】
このようにすることにより、液体バランサ内の液体のスロッシングを防止して、脱水時に洗濯槽の回転数が二次共振振動数に近づくときの騒音を低減することが可能な洗濯機を提供することができる。
【発明の効果】
【００２７】
以上のように、この発明によれば、簡単な構成で、液体のスロッシングを防止することが可能な液体バランサと、それを備えた洗濯機を提供することができる。
【図面の簡単な説明】
【００２８】
【図１】本発明の実施の形態に係る洗濯機の全体構成を示す縦断面図である。
【図２】本発明の実施の形態に係る洗濯機が備える液体バランサの外観を示す斜視図である。
【図３】本発明の実施の形態に係る洗濯機が備える液体バランサを、図２に示すＩＩＩ−ＩＩＩ線の方向から見たときの断面図である。
【図４】本発明の実施の形態に係る洗濯機が備える液体バランサを、図２に示すＩＶ−ＩＶ線の方向から見たときの断面図である。
【図５】本発明の実施の形態に係る洗濯機が備える液体バランサの緩衝部材を示す図である。
【図６】本発明の実施の形態に係る洗濯機の洗濯槽が回転させられたときの液体バランサの内部を示す図４と同様の断面図である。
【図７】本発明の実施の形態に係る液体バランサによるスロッシング防止の効果を確認するための装置の全体を示す図である。
【図８】本発明の実施の形態に係る液体バランサによるスロッシング防止の効果を確認するための装置の制御関連の構成を示す図である。
【図９】本発明の実施の形態に係る液体バランサと比較例の液体バランサにおける回転数と振動の大きさとの関係を示す図である。
【図１０】本発明の実施の形態に係る液体バランサと比較例の液体バランサにおける回転数と液体の位相との関係を示す図である。
【発明を実施するための形態】
【００２９】
以下、この発明の実施の形態を図面に基づいて説明する。
【００３０】
図１においては、左側が洗濯機１の正面、右側が洗濯機１の背面である。図１に示すように、洗濯機１は全自動型の縦型洗濯機であり、主に、外箱１０と、外箱１０の内部に収容される洗濯槽２０と、液体バランサ３０と、水槽４０と、駆動ユニット５０と、給水部６０と、排水部７０と、制御部８０とを備える。
【００３１】
外箱１０の上面板１１には、洗濯槽２０に洗濯物を投入するための洗濯物投入口１２が形成されている。洗濯物投入口１２は、洗濯が行われている間は、蓋１３によって上方から覆われる。
【００３２】
洗濯槽２０と水槽４０は、円筒形のカップの形状を有し、上面が開口されている。洗濯槽２０と水槽４０は、洗濯槽２０の外周面を水槽４０が覆い、軸線がほぼ鉛直方向に延びるように、同心状に配置されている。水槽４０は、サスペンション部材１４によって外箱１０内に吊り下げられている。サスペンション部材１４は、外箱１０の内面の４箇所の角部のそれぞれを水槽４０の外周面の下部と連結するように、４箇所に配置されている。サスペンション部材１４によって吊り下げられた水槽４０は、水平面内で揺動することが可能であるように外箱１０内に支持される。
【００３３】
洗濯槽２０は、下部から上部の開口に向かうにつれて内壁面の径が大きくなるように形成されている。言い換えれば、洗濯槽２０は、上方に向かうにつれて緩やかに広がるテーパ形状の傾斜した内周壁面を有する。洗濯槽２０の周壁の最上部には、複数の脱水孔２１が形成されている。複数の脱水孔２１は、環状に並ぶように形成されている。洗濯槽２０の周壁には、脱水孔２１を除いて、液体を通すための開口部は形成されていない。すなわち、洗濯槽２０は、いわゆる「穴なし」タイプである。
【００３４】
洗濯槽２０の上部に形成された開口部の上方には給水部６０が配置されている。給水部６０は、洗濯機１の外部から水道水などの上水を供給する接続管６１と、電磁的に開閉する給水弁６２と、給水口６３とを含む。給水口６３は、洗濯槽２０の開口に対向するように配置されている。
【００３５】
洗濯槽２０の上部に形成された開口の縁には、環状の液体バランサ３０が装着されている。液体バランサ３０の詳細については後述する。
【００３６】
洗濯槽２０の内部底面には、洗濯槽２０内で洗濯水、または、すすぎ水の流動を生じさせるためのパルセータ２２が配置されている。
【００３７】
水槽４０の外周下面には駆動ユニット５０が装着される。駆動ユニット５０は、駆動部としてモータ５１と、クラッチ機構５２と、ブレーキ機構５３を含む。クラッチ機構５２とブレーキ機構５３の中心部から脱水軸５４とパルセータ軸５５とがほぼ鉛直方向に、上向きに突出している。脱水軸５４とパルセータ軸５５とは、脱水軸５４を外側、パルセータ軸５５を内側とする二重軸構造を有する。脱水軸５４は、水槽４０の下面から水槽４０の内部に入り込み、洗濯槽２０に連結されて洗濯槽２０を支持する。脱水軸５４は、洗濯槽２０の回転軸であり、脱水軸５４に沿って洗濯槽２０の回転軸線Ｒが延びている。パルセータ軸５５は、さらに洗濯槽２０の内部に入り込み、パルセータ２２に連結されてパルセータ２２を支持する。脱水軸５４と水槽４０との間と、脱水軸５４とパルセータ軸５５との間には、それぞれ、水もれを防ぐためのシール部材が配置されている。
【００３８】
水槽４０の底部には、水槽４０と洗濯槽２０の内部の水を外箱１０の外に排出するための排水ホース７１が取り付けられている。排水ホース７１には、相対的に水槽４０の中心部側において水槽４０に接続される中心側排水管７２と、相対的に水槽４０の周壁面側において水槽４０に接続される外側排水管７４とが接続されている。中心側排水管７２には、排水弁７３が取り付けられている。
【００３９】
外箱１０の上面において洗濯機１の正面側には、操作／表示部１５が配置されている。外箱１０内の上部において洗濯機１の正面側には、制御部８０が配置されている。使用者が操作／表示部１５を操作すると、制御部８０に動作指令が送信される。制御部８０は、操作／表示部１５から受信した動作指令に基づいて、駆動ユニット５０と、給水弁６２と、排水弁７３に制御信号を送信する。また、制御部８０は、操作／表示部１５に表示指令を送信する。
【００４０】
次に、洗濯槽２０の開口部の縁に装着される液体バランサ３０について説明する。
【００４１】
図２と図３に示すように、液体バランサ３０は、環状の容器３１によって構成される。容器３１の外径Ｄは、洗濯槽２０（図１）の最上部の内径と同じ大きさである。液体バランサ３０は、洗濯槽２０の回転軸線Ｒが容器３１の中心Ｃを通るように洗濯機１（図１）に配置される。
【００４２】
容器３１は、例えば合成樹脂によって形成される。容器３１は、外側壁部３１１と内側壁部３１２とを有する。外側壁部３１１と内側壁部３１２との間には空間が形成されている。
【００４３】
外側壁部３１１と内側壁部３１２との間において、外側壁部３１１の内壁面３１１ａ上には、容器３１の周方向に沿って幅Ｗ３の緩衝部材３２が４つ、固着されている。４つの緩衝部材３２は、隣り合う一方の緩衝部材３２との間隔が、外側壁部３１１の内壁面３１１ａに沿って、容器３１の中心Ｃを中心にして６０°になるように配置され、隣り合う他方の緩衝部材３２との間隔が、外側壁部３１１の内壁面３１１ａに沿って、容器３１の中心Ｃを中心にして１２０°になるように、互いに間隔をあけて配置されている。
【００４４】
また、４つの緩衝部材３２は、外側壁部３１１の内壁面３１１ａに沿って、容器３１の中心Ｃを中心にして９０°ずつ離して配置されてもよい。
【００４５】
図４に示すように、容器３１の内部の空間は、外側壁部３１１と内側壁部３１２と底部３１３と蓋部３１４とによって密閉されている。容器３１の外側壁部３１１と内側壁部３１２と底部３１３と蓋部３１４は、例えば、同一の合成樹脂によって形成される。外側壁部３１１と内側壁部３１２は、ほぼ同じ厚みＷ１に形成されている。外側壁部３１１と内側壁部３１２との間には、幅Ｗ２の空間が形成されている。外側壁部３１１の内壁面３１１ａは外周側内壁面の一例であり、内側壁部３１２の内壁面３１２ａは内周側内壁面の一例である。
【００４６】
外側壁部３１１と内側壁部３１２との間の空間には、液体として水３３が収容されている。水３３は、例えば、容器３１の容積の３分の１から半分程度の量、収容される。外側壁部３１１の内壁面３１１ａ上に固着されている緩衝部材３２の高さＨは、容器３１の内部の空間の高さとほぼ同じである。
【００４７】
図５に示すように、幅Ｗ３、高さＨの緩衝部材３２は、全体が弾性体としてポリエチレン膜によって形成され、緩衝部材３２の表面全体に、円筒形の袋状の収容部材３２１が形成されている。収容部材３２１の内部には流体として空気が収容されて、密封されている。収容部材３２１は、緩衝部材３２の表面から突出している。収容部材３２１は、直径Ｅの大きさと比較して、表面から突出する厚みが小さい、薄い円筒形状に形成されている。図４に示すように緩衝部材３２を容器３１の外側壁部３１１の内壁面３１１ａ上に固着させると、収容部材３２１が外側壁部３１１と内側壁部３１２との間の空間内に、外側壁部３１１の内壁面３１１ａから突出する。
【００４８】
以上のように構成された洗濯機１（図１）の動作を説明する。
【００４９】
使用者は、洗濯機１の蓋１３を開け、洗濯物投入口１２から洗濯槽２０の中へ洗濯物を投入する。使用者は、給水部６０の洗剤室（図示しない）に洗剤を入れる。また、必要であれば、給水部６０の仕上剤室（図示しない）に仕上剤を入れる。仕上剤は洗濯行程の途中で入れられてもよい。
【００５０】
次に、使用者は蓋１３を閉じ、操作／表示部１５の操作ボタン群を操作して洗濯の条件を選び、スタートボタンを押す。スタートボタンが押されると、使用者によって選ばれた洗濯の条件で洗濯行程が行われる。洗濯行程は、例えば、洗い行程と、すすぎ行程と、脱水行程とを含む。
【００５１】
洗い行程においては、まず、水槽４０の下部から延びている中心側排水管７２の排水弁７３が閉じられる。次に、給水部６０の給水弁６２が開かれて、洗濯槽２０の内部に上方から所定量の水が供給される。所定量の水が供給されると、給水弁６２が閉じられて、パルセータ２２が正方向と逆方向に回転されて、洗濯物と水とを撹拌し、洗濯物を水になじませる。このようななじませ運転を行なうことにより、洗濯物に水を十分に吸収させる。また、洗濯物にとらわれていた空気を逃がす。なじませ運転を行なったときに洗濯槽２０内の水位が低下した場合には、給水弁６２が開かれて洗濯槽２０内に水が補給される。
【００５２】
洗い行程では、使用者の設定に従って、モータ５１がパルセータ２２を所定のパターンで回転させる。このようにして、洗濯槽２０の中に洗濯のための主水流が形成される。この主水流によって洗濯物の洗濯が行われる。脱水軸５４にはブレーキ機構５３によりブレーキがかけられているので、洗濯水と洗濯物が動いても洗濯槽２０は回転しない。
【００５３】
所定の期間、主水流によって洗濯物が洗濯された後、パルセータ２２が小刻みに反転して洗濯物をほぐし、洗濯槽２０の中において洗濯物がバランスよく配分されるようにする。これは、洗濯槽２０の脱水回転に備えるためである。このようにして洗濯物をほぐしても、洗濯槽２０内の洗濯物に偏りが残り、洗濯物を収容する洗濯槽２０と、水槽４０と、モータ５１と、液体バランサ３０とから構成される系が偏心荷重を有することがある。
【００５４】
洗い行程が終了すると、脱水行程が行われる。脱水行程については後述する。脱水行程の後、すすぎ行程が行われる。
【００５５】
すすぎ行程について説明する。すすぎ行程においては、給水弁６２が開かれて、洗濯槽２０内に規定水量の水が供給される。次に、洗い行程と同様に、なじませ運転が行なわれる。すすぎ行程のなじませ運転では、洗濯槽２０に貼りついた洗濯物を洗濯槽２０の内周壁面から剥離させ、水になじませ、洗濯物に十分に水を吸収させる。なじませ運転を行なったときに洗濯槽２０内の水位が低下した場合には、給水弁６２が開かれて洗濯槽２０内に水が補給される。
【００５６】
すすぎ行程では、使用者の設定に従って、モータ５１がパルセータ２２を所定のパターンで回転させる。このようにして、洗濯槽２０の中にすすぎのための主水流が形成される。この主水流によって洗濯物のすすぎが行われる。脱水軸５４にはブレーキ機構５３によりブレーキがかけられているので、すすぎ水および洗濯物が動いても洗濯槽２０は回転しない。
【００５７】
所定の期間、主水流によって洗濯物がすすがれた後、パルセータ２２が小刻みに反転して洗濯物をほぐし、洗濯槽２０の中において洗濯物がバランスよく配分されるようにする。これは、洗濯槽２０の脱水回転に備えるためである。このようにして洗濯物をほぐしても、洗濯槽２０内の洗濯物に偏りが残り、洗濯物を収容する洗濯槽２０と、水槽４０と、モータ５１と、液体バランサ３０とから構成される系が偏心荷重を有することがある。
【００５８】
上述の説明では、洗濯槽２０の中にすすぎ水をためておいてすすぎを行う「ためすすぎ」を実行するものとしたが、常に新しい水を補給する「注水すすぎ」、あるいは洗濯槽２０を低速回転させながら給水口６３より洗濯物に水を注ぎかける「シャワーすすぎ」を行ってもよい。
【００５９】
次に、脱水行程について説明する。脱水行程は、例えば、洗い行程とすすぎ行程の間と、すすぎ行程との後に行なわれる。
【００６０】
脱水行程においては、まず、排水弁７３が開かれる。洗濯槽２０の中の洗濯水、または、すすぎ水は、中心側排水管７２を通って、排水ホース７１から洗濯機１の外部に排出される。排水弁７３は、脱水行程中、開かれたままである。
【００６１】
洗濯物から大部分の洗濯水、または、すすぎ水が除かれたところで、クラッチ機構５２とブレーキ機構５３とが切り替えられる。クラッチ機構５２とブレーキ機構５３の切り替えのタイミングは、洗濯物から大部分の水が除かれてからであってもよいし、排水開始前であってもよく、また、排水と同時でもよい。
【００６２】
次に、低速脱水が行われる。低速脱水は、モータ５１が脱水軸５４を回転させることによって行われる。モータ５１が脱水軸５４を回転させると、洗濯槽２０が脱水回転させられる。洗濯槽２０とともに、パルセータ２２も回転させられる。
【００６３】
続いて、高速脱水が行われる。高速脱水は、モータ５１による脱水軸５４の回転速度を高めることによって行われる。洗濯槽２０が高速で回転させられると、洗濯物は遠心力で洗濯槽２０の内周壁に押しつけられる。洗濯物に含まれていた洗濯水も、遠心力によって洗濯槽２０の周壁内面に集まる。洗濯槽２０はテーパ状に上方に広がっているので、遠心力を受けた洗濯水は洗濯槽２０の内周壁面に沿って上昇する。洗濯水は、洗濯槽２０の上端にたどりついたところで脱水孔２１から放出される。脱水孔２１を離れた洗濯水は水槽４０の内面にたたきつけられ、水槽４０の内面を伝って水槽４０の底部に流れ落ちる。そして、外側排水管７４と、それに続く排水ホース７１を通って外箱１０の外に排出される。
【００６４】
高速脱水が行われると、洗濯槽２０の開口部の縁に装着されている液体バランサ３０も洗濯槽２０とともに、回転軸線Ｒを中心に高速で回転される。
【００６５】
図６に示すように、液体バランサ３０が中心Ｃ（図３）を中心に高速で回転されると、液体バランサ３０の容器３１の外側壁部３１１と内側壁部３１２との間の空間内の水３３に、図６に矢印Ｆで示す方向に遠心力が付与される。遠心力を付与された水３３は、外側壁部３１１の内壁面３１１ａ上に押し付けられる。十分に大きな遠心力が水３３に付与されると、液体バランサ３０内の空間内においては、水３３の水面が外側壁部３１１の内壁面３１１ａと内側壁部３１２の内壁面３１２ａとにほぼ平行になる。緩衝部材３２の表面の大部分、または、表面全体が水３３に接触する。
【００６６】
高速脱水が行われて、洗濯槽２０に回転数が上昇されると、洗濯槽２０の回転数が、洗濯槽２０と水槽４０と駆動ユニット５０と液体バランサ３０とからなる系の二次共振振動数に近づく。洗濯槽２０の回転数が二次共振振動数に近付くと、外側壁部３１１の内壁面３１１ａ上において緩衝部材３２が配置されていない位置では、水３３は、遠心力によって外側壁部３１１の内壁面３１１ａに強く押し付けられながら移動することができる。
【００６７】
一方、外側壁部３１１の内壁面３１１ａ上において、緩衝部材３２が配置されている位置では、遠心力を付与された水３３は、緩衝部材３２に押し付けられる。しかしながら、緩衝部材３２の表面には収容部材３２１が多数、形成されており、それぞれの収容部材３２１は、水３３よりも比重が小さい空気が収容されたポリエチレン膜によって形成された袋によって構成されている。そのため、遠心力を付与された水３３が緩衝部材３２に押し付けられると、緩衝部材３２は水３３によって簡単に変形される。
【００６８】
このように、緩衝部材３２が配置されている位置では、水３３は、外側壁部３１１の内壁面３１１ａに十分に強く押し付けられることができない。水３３が外側壁部３１１の内壁面３１１ａに十分に強く押し付けられなければ、水３３は容器３１の内部においてスロッシングすることができず、水３３は移動しない。このように、容器３１の外側壁部３１１の内壁面３１１ａに沿って、外側壁部３１１の内壁面３１１ａ上に間隔をあけて複数の緩衝部材３２が配置されていることによって、複数の緩衝部材３２の位置でスロッシングを防止することができる。このようにすることにより、容器３１内の全体において効果的にスロッシングを防止し、水３３の移動を抑制することができる。
【００６９】
上述のように、洗い行程の終了時やすすぎ行程の終了時にはパルセータ２２を小刻みに反転させて洗濯物をほぐしているが、洗濯槽２０内の洗濯物に偏りが残り、脱水行程の開始時に、洗濯物を収容する洗濯槽２０と、水槽４０と、モータ５１と、液体バランサ３０とから構成される系が偏心荷重を有することがある。
【００７０】
従来の液体バランサを備える洗濯機では、この系が偏心荷重を有する場合には、高速脱水が行われて洗濯槽の回転数がこの系の二次共振振動数に近付く前に、液体バランサ内の水が洗濯槽内の洗濯物の偏心荷重を解消する位置にあったとしても、洗濯槽の回転数がこの系の二次共振振動数に近付くと、液体バランサ内の水が移動するスロッシングが起きる。液体バランサ内の水が、洗濯槽内の洗濯物の偏心荷重を解消する位置から別の位置に移動すると、液体バランサ内の水によって偏心荷重が解消されなくなり、かえってこの系の偏心を増大させてしまう。そのため、従来の液体バランサを備える洗濯機では、洗濯槽が二次共振振動数付近の回転数で回転されるときには、液体バランサを備えることによって二次共振振動数付近における洗濯槽の振動を抑えることができない。
【００７１】
一方、洗濯機１が備える液体バランサ３０では、上述のようにして容器３１内の水３３のスロッシングを防止することができる。容器３１内の水３３は、高速脱水が行われて洗濯槽２０の回転数が二次共振振動数に近付いても移動しにくい。したがって、洗濯槽２０の回転数がこの系の二次共振振動数に近付く前に液体バランサ３０内の水３３が洗濯槽２０内の洗濯物の偏心荷重を解消する位置にあれば、水３３はそのまま、偏心荷重を解消する位置に留まる。このようにして、洗濯槽２０が、上記の系の二次共振振動数付近の回転数で回転させられても、液体バランサ３０がこの系の振動を増大させることを防ぐことができる。
【００７２】
脱水行程を開始してから所定時間が経過すれば、制御部８０はモータ５１への通電を断ち、停止処理を行う。
【００７３】
以上のように、洗濯機１に装着される液体バランサ３０は、環状の容器３１と、緩衝部材３２とを備える。環状の容器３１は、回転軸線Ｒの周りに形成された内壁面を有し、この内壁面は外側壁部３１１の内壁面３１１ａとこの外側壁部３１１の内壁面３１１ａに対向する内側壁部３１２の内壁面３１２ａとを含む。環状の容器３１は、液体を収容して回転軸線Ｒを中心に回転することができるように配置される。緩衝部材３２は、容器３１の外側壁部３１１の内壁面３１１ａの上に固着される。
【００７４】
緩衝部材３２は、弾性体によって形成される収容部材３２１と、収容部材３２１に収容される流体とを含む。緩衝部材３２は、容器３１が回転軸線Ｒを中心に回転させられるときに遠心力が付与された容器３１内の液体によって変形させられるように構成される。収容部材３２１に収容される流体の比重は、容器３１に収容される液体の比重よりも小さい。
【００７５】
液体を収容した環状の容器３１が回転軸線Ｒを中心に回転すると、容器３１内の液体には遠心力が付与される。遠心力を付与された液体は、回転している容器３１の外側壁部３１１の内壁面３１１ａに押し付けられながら移動しようとする。このとき、遠心力が付与された液体は、容器３１の外側壁部３１１の内壁面３１１ａの上に固着された緩衝部材３２に力を加える。緩衝部材３２は、弾性体によって形成される収容部材３２１と、収容部材３２１に収容される流体とによって構成されており、遠心力を付与された液体に力を加えられて変形する。
【００７６】
容器３１の外側壁部３１１の内壁面３１１ａの上に固着された緩衝部材３２が変形することによって、容器３１内の液体は、容器３１の外側壁部３１１の内壁面３１１ａの上に緩衝部材３２が固着されていない場合と比較して、回転している容器３１の外側壁部３１１の内壁面３１１ａに遠心力によって十分に押し付けられなくなる。回転している容器３１の外側壁部３１１の内壁面３１１ａに、遠心力によって十分に押し付けられない液体は、回転している容器３１の外側壁部３１１の内壁面３１１ａに押し付けられながら移動するスロッシングを起こすことができなくなる。
【００７７】
このようにすることにより、簡単な構成で、液体のスロッシングを防止することが可能な液体バランサ３０を提供することができる。
【００７８】
スロッシングを防止することによって、偏心荷重と最も離れる位置にあって偏心荷重を解消している水３３を、液体バランサ３０を回転させたときに移動させにくくすることができる。容器３１の回転数が回転される系の二次共振振動数に近付く前に、偏心荷重を解消する位置にあれば、容器３１の回転数が二次共振振動数に近付いても、偏心荷重が増大されないようにすることができる。回転される系の偏心荷重が増大されないようにすることによって、この系の回転数が二次共振振動数に達したときに振動の振幅が増大することを抑え、騒音を低減させることができる。
【００７９】
また、液体バランサ３０は、複数の緩衝部材３２を備える。複数の緩衝部材３２は、容器３１の周方向に沿って、互いに間隔をあけて配置されている。
【００８０】
容器３１の周方向に沿って互いに間隔をあけて複数の緩衝部材３２が配置されることによって、スロッシングを効果的に防ぐことができる。
【００８１】
また、液体バランサ３０においては、液体は水であり、流体は空気であり、弾性体はポリエチレン膜である。
【００８２】
ポリエチレン膜によって形成される収容部材３２１に空気が収容されて緩衝部材３２が構成される。空気は水よりも比重が小さい。また、ポリエチレン膜は、変形しやすい。そのため、この緩衝部材３２は、遠心力を付与された水によって変形されやすい。このように、遠心力を付与された水によって変形されやすい緩衝部材３２を容器３１の外側壁部３１１の内壁面３１１ａ上に固着することによって、容器３１内の液体は、回転している容器３１の外側壁部３１１の内壁面３１１ａに遠心力によって十分に押し付けられなくなる。このようにすることにより、スロッシングを効果的に防ぐことができる。
【００８３】
また、洗濯機１は、洗濯槽２０と、モータ５１と、液体バランサ３０とを備える。洗濯槽２０は、洗濯物を収容して回転軸線Ｒを中心に回転することができるように配置されるものである。モータ５１は、回転軸線Ｒを中心に洗濯槽２０を回転させるためのものである。液体バランサ３０は、回転軸線Ｒを中心にして洗濯槽２０とともに回転することができるように構成されている。
【００８４】
このようにすることにより、液体バランサ３０内の液体のスロッシングを防止して、脱水時に洗濯槽２０の回転数が二次共振振動数に近づくときの騒音を低減することが可能な洗濯機１を提供することができる。
【００８５】
なお、この実施の形態においては、洗濯機１としては「穴なし」槽を備える、いわゆる縦型洗濯機を用いて説明したが、洗濯機１は、横型洗濯機や斜め型など、他の洗濯機であってもよい。また、液体バランサ３０内の液体は水３３の他、食塩水や他の液体であってもよく、緩衝部材３２の収容部材３２１内の流体は空気の他、ヘリウムや他の気体であってもよい。
【実施例】
【００８６】
この発明に従った液体バランサの効果の一つとして、液体バランサを構成する環状の容器に収容された液体のスロッシングを防止する効果がある。この効果を以下のようにして確認した。
【００８７】
図７に示すように、本発明の液体バランサによるスロッシング防止の効果を確認するための装置２は、液体バランサ３００と、液体バランサ３００を下方向から支持する円板２１０と、円板２１０の中心Ｃにおいて円板２１０を支持する回転軸２２０と、回転軸２２０を中心に液体バランサ３００と円板２１０とを回転させるモータ２３０と、モータ支持台２４０と、荷重計測装置２５０と、台座２６０と、バネ２７０とによって構成された。液体バランサ３００は円板２１０上に固着された。円板２１０には、中心Ｃから離れた位置に１組のボルトとナットとを取り付けて偏心荷重２８０とした。ボルトとナットは、合計で１４０．９ｇであった。
【００８８】
この装置２の液体バランサ３００として、本発明の液体バランサを用いた場合と、比較例の液体バランサを用いた場合とについて、液体バランサ３００を回転させたときの振動の振幅の大きさと、液体バランサ３００の容器の内部の水と偏心荷重との位相差とを測定した。水と偏心荷重との位相差は、偏心荷重の位置を０°として、液体バランサ３００の中心Ｃを中心として、偏心荷重と容器内の水の平均的な位置Ｐとの間の角度θで表した。
【００８９】
本発明の液体バランサとしては、図２〜図５に示す液体バランサ３０を用いた。液体バランサ３０の径Ｄは５００ｍｍ、外側壁部３１１と内側壁部３１２の厚みＷ１は２０ｍｍ、外側壁部３１１と内側壁部３１２との間の空間の幅Ｗ２は２０ｍｍであった。緩衝部材としては、図５に示す緩衝部材３２が用いられた。緩衝部材３２の高さＨは２０ｍｍ、緩衝部材３２の幅Ｗ３は６０ｍｍであった。緩衝部材３２は、図３に示すように配置された。外側壁部３１１と内側壁部３１２との間の空間には、１５０ｍＬの水が収容された。
【００９０】
比較例の液体バランサでは、本発明の液体バランサ３０と異なる点として、緩衝部材３２を設けなかった。比較例の液体バランサのその他の点は、本発明の液体バランサ３０と同様であった。
【００９１】
図８に示すように、制御関連の構成として、装置２が、制御関連の構成として、パルス計測装置２９１と、ＡＤ変換器２９２と、荷重計測装置２５０と、処理部２９０と、モータ２３０とを備えるように構成した。処理部２９０は、モータ２３０に制御信号を送信して、円板２１０と円板２１０の上に固着された液体バランサ３００とを回転させた。
【００９２】
荷重計測装置２５０は、モータ支持台２４０の反力を計測する反力計２５１と、動歪計２５２と、ＡＤ変換器２５３とを含む。パルス計測装置２９１によって計測されたパルスの情報は、ＡＤ変換器２９２を通して処理部２９０に送信された。反力計２５１によって計測されたモータ支持台２４０の反力は、動歪計２５２とＡＤ変換器２５３とを通して、処理部２９０に送信された。処理部２９０では、パルス計測装置２９１と荷重計測装置２５０とから送信された情報に基づいて、それぞれの回転数における荷重の大きさを求めた。
【００９３】
以上のように構成された装置２によって、液体バランサ３００を回転させた。液体バランサ３００の回転数は、１５０ｒｐｍから１０ｒｐｍごとに、５００ｒｐｍ付近まで上昇させられた。液体バランサ３００の回転数は、安全のため、５００ｒｐｍより大きくならないように制御された。
【００９４】
図９に示すように、本発明の液体バランサ３０を用いた場合でも、比較例の液体バランサを用いた場合でも、２２０ｒｐｍ付近の回転数で液体バランサ３００が回転されたときと、４８０ｒｐｍ付近よりも高い回転数で液体バランサ３００が回転されたときに、荷重計測装置２５０で計測された荷重が大きくなった。このとき、目視によっても、液体バランサ３００の振動の振幅が大きくなったことが確認された。この結果から、一次共振振動数は２２０ｒｐｍ付近であることと、４８０ｒｐｍ付近から二次共振領域に入ることとがわかった。
【００９５】
荷重計測装置２５０によって測定された荷重、すなわち、液体バランサ３００の振動の振幅の大きさは、１５０ｒｐｍから５００ｒｐｍまでの回転数の全領域において、本発明の液体バランサ３０の方が比較例の液体バランサよりも小さかった。特に、一次共振振動数である２２０ｒｐｍ付近の回転数と、二次共振振動数の領域に入る４８０ｒｐｍ付近よりも高い回転数では、本発明の液体バランサ３０の回転による荷重と比較例の液体バランサの回転による荷重との間に大きな差が現れた。
【００９６】
図１０に示すように、緩衝部材３２を備えない比較例の液体バランサでは、１５０ｒｐｍから５００ｒｐｍまでの回転数の全領域において、本発明の液体バランサ３０よりも、比較的大きく水の位置が移動することがわかった。
【００９７】
比較例の液体バランサでは、液体バランサの回転数が一次共振振動数である２２０ｒｐｍに到達する直前の２００ｒｐｍ付近で一旦、位相差が０°になり、水が偏心荷重に最も近づいて、偏心を大きくしていることがわかった。一方、一次共振振動数を過ぎると、二次共振振動数の直前までは、位相差が１８０°になり、水が偏心荷重から最も離れて、偏心を解消していることがわかった。さらに、液体バランサの回転数が二次共振振動数の領域である４８０ｒｐｍに到達する直前の４００ｒｐｍ〜４５０ｒｐｍの範囲では、位相差が再び０°になって、水が偏心荷重に最も近づき、かえって偏心を増大させていることがわかった。
【００９８】
一方、本発明の液体バランサ３０では、１５０ｒｐｍから５００ｒｐｍまでの回転数の全領域にわたって位相差が１８０°〜２４０°の範囲内にあり、比較的、水の移動が少なかった。
【００９９】
このように、緩衝部材３２を備える本発明の液体バランサ３０によって、液体バランサ３０内の液体のスロッシングを防止することができることがわかった。スロッシングを防止することによって、例えば、偏心荷重との位相差が１８０°、すなわち、偏心荷重と最も離れる位置にあって偏心荷重を解消している水を、液体バランサ３０を回転させたときに移動させにくくすることができる。
【０１００】
このようにすることにより、液体バランサ３０の回転数が二次共振振動数に近付く前に液体バランサ３０内の水が偏心荷重を解消する位置にある場合、液体バランサ３０の回転数が二次共振振動数に近付いたときに液体バランサ３０内の水が移動することを防いで、偏心荷重が増大されないようにすることができる。
【０１０１】
以上に開示された実施の形態と実施例はすべての点で例示であって制限的なものではないと考慮されるべきである。本発明の範囲は、以上の実施の形態と実施例ではなく、特許請求の範囲によって示され、特許請求の範囲と均等の意味および範囲内でのすべての修正と変形を含むものである。
【符号の説明】
【０１０２】
１：洗濯機、２０：洗濯槽、３０：液体バランサ、３１：容器、３２：緩衝部材、３３：水、４０：水槽、５１：モータ、３１１：外側壁部、３１１ａ：内壁面、３１２：内側壁部、３１２ａ：内壁面、３２１：収容部材。
【図１】
0005400523.tif 000002
【図２】
0005400523.tif 000003
【図３】
0005400523.tif 000004
【図４】
0005400523.tif 000005
【図５】
0005400523.tif 000006
【図６】
0005400523.tif 000007
【図７】
0005400523.tif 000008
【図８】
0005400523.tif 000009
【図９】
0005400523.tif 000010
【図１０】
0005400523.tif 000011